(57)【要約】【課題】広告を視聴したりアンケートに回答したりすることで料金が変動する印画物作製装置及び印画物作製システムを提供する。【解決手段】印画物作製装置は、広告データを格納する記憶部と、広告を視聴するか否かの選択を受け付ける第１選択部と、広告を視聴することが選択された場合に、表示部を用いて前記広告データを再生する広告再生部と、広告を視聴しないと選択された場合に通常料金の課金処理を行い、前記広告データが再生された場合に割引料金の課金処理を行う課金処理部と、課金処理後に利用者を撮影し、撮影画像データを生成する撮影部と、前記撮影画像データを用いてプリント用画像データを生成する画像処理部と、前記プリント用画像データに基づいて印画物をプリントするプリンタと、を備える。【選択図】図１
2019192015.tif 000002
【特許請求の範囲】
【請求項１】
広告データを格納する記憶部と、
広告を視聴するか否かの選択を受け付ける第１選択部と、
広告を視聴することが選択された場合に、表示部を用いて前記広告データを再生する広告再生部と、
広告を視聴しないと選択された場合に通常料金の課金処理を行い、前記広告データが再生された場合に割引料金の課金処理を行う課金処理部と、
課金処理後に利用者を撮影し、撮影画像データを生成する撮影部と、
前記撮影画像データを用いてプリント用画像データを生成する画像処理部と、
前記プリント用画像データに基づいて印画物をプリントするプリンタと、
を備える印画物作製装置。
【請求項２】
写真サイズの選択を受け付ける第２選択部と、
選択された写真サイズに基づいて、前記記憶部に格納されている複数企業の広告データから、再生する広告データを選択する第３選択部と、
をさらに備えることを特徴とする請求項１に記載の印画物作製装置。
【請求項３】
前記利用者の性別及び／又は年齢の入力を受け付け、
前記第３選択部は、入力された性別及び／又は年齢と、選択された写真サイズとに基づいて、広告データを選択することを特徴とする請求項２に記載の印画物作製装置。
【請求項４】
前記画像処理部は、前記広告データが再生された場合、広告画像を含むプリント用画像データを生成することを特徴とする請求項１乃至３のいずれか１項に記載の印画物作製装置。
【請求項５】
前記プリンタは、撮影画像と広告画像とを異なる用紙にプリントして出力することを特徴とする請求項４に記載の印画物作製装置。
【請求項６】
前記割引料金で作製可能な印画物の残数を表示することを特徴とする請求項１乃至５のいずれか１項に記載の印画物作製装置。
【請求項７】
請求項１乃至６のいずれか１項に記載された印画物作製装置と、
前記印画物作製装置に広告データを配信するサーバと、
を備える印画物作製システム。
【請求項８】
アンケートデータを格納する記憶部と、
アンケートに回答するか否かの選択を受け付ける第１選択部と、
アンケートに回答することが選択された場合に、表示部にアンケート画面を表示し、操作部を介してアンケート回答を受け付けるアンケート実行部と、
アンケートに回答しないと選択された場合に通常料金の課金処理を行い、アンケート回答を受け付けた場合に割引料金の課金処理を行う課金処理部と、
課金処理後に利用者を撮影し、撮影画像データを生成する撮影部と、
前記撮影画像データを用いてプリント用画像データを生成する画像処理部と、
前記プリント用画像データに基づいて印画物をプリントするプリンタと、
を備える印画物作製装置。
【請求項９】
写真サイズの選択を受け付ける第２選択部と、
選択された写真サイズに基づいて、前記記憶部に格納されている複数企業からのアンケートデータから、アンケート画面に表示するアンケートデータを選択する第３選択部と、
をさらに備えることを特徴とする請求項８に記載の印画物作製装置。
【請求項１０】
前記画像処理部は、アンケート回答を受け付けた場合、アンケートに対応する企業の広告画像を含むプリント用画像データを生成することを特徴とする請求項９に記載の印画物作製装置。
【請求項１１】
請求項８乃至１０のいずれか１項に記載された印画物作製装置と、
前記印画物作製装置にアンケートデータを配信し、アンケート結果を収集するサーバと、
を備える印画物作製システム。
【発明の詳細な説明】
【技術分野】
【０００１】
本発明は、顔画像が印画された印画物を作製する印画物作製装置及び印画物作製システムに関する。
【背景技術】
【０００２】
従来、免許証、パスポート、履歴書等に貼付するための証明写真等を撮影するためのボックス型の写真撮影装置が知られている。例えば、写真撮影装置は、撮影した顔画像を複数個の画像コマにして、１枚のプリント用紙にプリントして出力する。
【０００３】
また、利用者が１枚のプリント用紙にプリントする画像コマ数を指定すると、プリント用紙の空いているコマ位置に広告（商業宣伝広告）をプリントする写真撮影装置が提案されている（例えば特許文献１参照）。
【０００４】
しかし、このような従来の写真撮影装置は、プリント用紙の空いているコマ位置に自動的に広告をプリントするため、広告の不要な（広告のプリントを望まない）利用者に対しても、広告がプリントされたプリント用紙を出力するという問題があった。
【０００５】
写真撮影装置には、利用者から写真サイズの選択を受け付けたり、撮影画像のプレビューを行ったりするディスプレイ（タッチパネル）が設けられている。従来の写真撮影装置では、これらの用途でのみディスプレイを使用しており、さらなる有効活用が望まれている。
【先行技術文献】
【特許文献】
【０００６】
【特許文献１】特開２００３−１７３４７１号公報
【発明の概要】
【発明が解決しようとする課題】
【０００７】
本発明は、広告を視聴したりアンケートに回答したりすることで料金が変動する印画物作製装置及び印画物作製システムを提供することを課題とする。
【課題を解決するための手段】
【０００８】
本発明による印画物作製装置は、広告データを格納する記憶部と、広告を視聴するか否かの選択を受け付ける第１選択部と、広告を視聴することが選択された場合に、表示部を用いて前記広告データを再生する広告再生部と、広告を視聴しないと選択された場合に通常料金の課金処理を行い、前記広告データが再生された場合に割引料金の課金処理を行う課金処理部と、課金処理後に利用者を撮影し、撮影画像データを生成する撮影部と、前記撮影画像データを用いてプリント用画像データを生成する画像処理部と、前記プリント用画像データに基づいて印画物をプリントするプリンタと、を備えるものである。
【０００９】
本発明の一態様では、写真サイズの選択を受け付ける第２選択部と、選択された写真サイズに基づいて、前記記憶部に格納されている複数企業の広告データから、再生する広告データを選択する第３選択部と、をさらに備える。
【００１０】
本発明の一態様では、前記利用者の性別及び／又は年齢の入力を受け付け、前記第３選択部は、入力された性別及び／又は年齢と、選択された写真サイズとに基づいて、広告データを選択する。
【００１１】
本発明の一態様では、前記画像処理部は、前記広告データが再生された場合、広告画像を含むプリント用画像データを生成する。
【００１２】
本発明の一態様では、前記プリンタは、撮影画像と広告画像とを異なる用紙にプリントして出力する。
【００１３】
本発明の一態様では、前記割引料金で作製可能な印画物の残数を表示する。
【００１４】
本発明による印画物作製システムは、本発明の印画物作製装置と、前記印画物作製装置に広告データを配信するサーバと、を備えるものである。
【００１５】
本発明による印画物作製装置は、アンケートデータを格納する記憶部と、アンケートに回答するか否かの選択を受け付ける第１選択部と、アンケートに回答することが選択された場合に、表示部にアンケート画面を表示し、操作部を介してアンケート回答を受け付けるアンケート実行部と、アンケートに回答しないと選択された場合に通常料金の課金処理を行い、アンケート回答を受け付けた場合に割引料金の課金処理を行う課金処理部と、課金処理後に利用者を撮影し、撮影画像データを生成する撮影部と、前記撮影画像データを用いてプリント用画像データを生成する画像処理部と、前記プリント用画像データに基づいて印画物をプリントするプリンタと、を備えるものである。
【００１６】
本発明の一態様では、写真サイズの選択を受け付ける第２選択部と、選択された写真サイズに基づいて、前記記憶部に格納されている複数企業からのアンケートデータから、アンケート画面に表示するアンケートデータを選択する第３選択部と、をさらに備える。
【００１７】
本発明の一態様では、前記画像処理部は、アンケート回答を受け付けた場合、アンケートに対応する企業の広告画像を含むプリント用画像データを生成する。
【００１８】
本発明による印画物作製システムは、本発明の印画物作製装置と、前記印画物作製装置にアンケートデータを配信し、アンケート結果を収集するサーバと、を備えるものである。
【発明の効果】
【００１９】
本発明によれば、広告を視聴したりアンケートに回答したりすることで印画物作製の料金が変動する。
【図面の簡単な説明】
【００２０】
【図１】本発明の実施形態に係る印画物作製装置の概略構成図である。
【図２】同実施形態に係る演算制御部のハードウェア構成図である。
【図３】同実施形態に係る印画物作製プログラムを実行することで実現される機能ブロック図である。
【図４】タッチパネルの表示画面の一例を示す図である。
【図５】（ａ）（ｂ）はプリント出力される印画物の例を示す図である。
【図６】同実施形態に係る印画物作製方法を説明するフローチャートである。
【図７】別の実施形態に係る画像処理プログラムを実行することで実現される機能ブロック図である。
【図８】同実施形態に係る印画物作製システムの概略構成図である。
【発明を実施するための形態】
【００２１】
以下、本発明の実施の形態を図面に基づいて説明する。
【００２２】
図１に本発明の実施形態に係る印画物作製装置１００の概略構成を示す。印画物作製装置１００は、演算制御部１と、被撮影者Ｐの顔を撮影し、顔画像データを生成する撮影部２と、印画物（写真）をプリントするプリンタ５と、撮影部２が被撮影者Ｐの顔を撮影する際に被撮影者Ｐに光を照射するストロボ６と、を備える。
【００２３】
撮影部２は、例えばデジタルカメラであり、レンズ、シャッタ、ＣＭＯＳセンサ、Ａ／Ｄ変換器等を有する。撮影部２が被撮影者Ｐの顔を撮影して生成された顔画像データは、演算制御部１へ転送される。
【００２４】
印画物作製装置１００には、ユーザ（被撮影者Ｐ）から広告を視聴するか否かの選択を受け付けたり、広告を再生（表示）したり、撮影画像のプレビュー表示を行ったりする操作部及び表示部が設けられており、例えばタッチパネル３がそれらの機能を有する。タッチパネル３の代わりに、タッチ機能の無いディスプレイ及びボタン等を設けてもよい。
【００２５】
タッチパネル３は、操作ボタンを表示し、操作ボタンが押されると、その操作ボタンに対応した操作指示を受け付ける。例えば、タッチパネル３は、ユーザから、プリンタ５が印画物にプリントする写真サイズの指示を受け付ける。写真サイズは、例えば、運転免許証、パスポート、履歴書等に対応するものである。
【００２６】
さらに、印画物作製装置１００には、被撮影者Ｐが印画物の代金として支払う貨幣を受け入れたり、釣銭を払い出したりする課金部（図示せず）が設けられている。
【００２７】
演算制御部１は、撮影部２、タッチパネル３、プリンタ５、ストロボ６、及び課金部に接続されており、各部の制御やデータの受け渡しを行う。
【００２８】
図２に、演算制御部１のハードウェア構成を示す。演算制御部１は、ＣＰＵ（中央演算処理部）１１、メインメモリ１２、ディスク装置１３、及び入出力部１４を有する。
【００２９】
ディスク装置１３は、ＣＰＵ１１により実行される印画物作製プログラムを格納する。また、ディスク装置１３は、複数の広告データを格納する。広告データは、例えば、複数の企業の広告データであり、動画データ、静止画データ、音声データ等を含む。
【００３０】
印画物作製プログラムの実行により、図３に示すように、写真サイズ選択部２１、広告視聴選択部２２、広告選択部２３、広告再生部２４、課金処理部２５、撮影処理部２６、画像処理部２７及びプリント処理部２８が実現される。
【００３１】
写真サイズ選択部２１は、サイズ選択画面をタッチパネル３に表示し、写真サイズの選択を受け付ける。
【００３２】
広告視聴選択部２２は、広告を視聴するか否か選択する選択画面をタッチパネル３に表示し、ユーザから選択を受け付ける。例えば、図４に示すような選択画面をタッチパネル３に表示する。本実施形態では、ユーザが広告を視聴することにより、印画物作製の料金を割り引く。割引料金は、ユーザにより視聴された広告を出稿した企業が負担する。
【００３３】
広告選択部２３は、ユーザが広告を視聴することを選択した場合に、複数の広告データから、再生する広告データを選択する。広告選択部２３は、ユーザが選択した写真サイズに基づいて、広告を選択する。
【００３４】
例えば、ユーザが選択した写真サイズが運転免許証に対応するものである場合、広告選択部２３は、自動車販売会社や、自動車保険を取り扱う保険会社等の広告データを選択する。ユーザが選択した写真サイズがパスポートに対応するものである場合、広告選択部２３は、旅行会社、スーツケースレンタル会社、海外旅行保険を取り扱う保険会社等の広告データを選択する。ユーザが選択した写真サイズが履歴書に対応するものである場合、広告選択部２３は、予備校や、スーツ販売会社等の広告データを選択する。
【００３５】
広告再生部２４は、広告選択部２３が選択した広告データを再生する。例えば、タッチパネル３を用いて広告の動画データを再生する。
【００３６】
課金処理部２５は、広告視聴の有無に応じた金額の課金処理を行い、貨幣の受け付け、釣り銭の支払い等を行う。
【００３７】
撮影処理部２６は、撮影部２を制御して、被撮影者Ｐの撮影を行う。
【００３８】
画像処理部２７は、撮影部２により生成された画像データを、プリンタ５でプリントする写真サイズに対応したサイズに縮小し、プリント用画像データを生成する。ユーザが広告を視聴した場合、視聴した広告に対応する画像（静止画）をプリント用画像データに含めてもよい。
【００３９】
プリント処理部２８は、プリント用画像データをプリンタ５へ転送する。
【００４０】
プリンタ５は、演算制御部１から受け取ったプリント用画像を用紙に印画して出力する。プリンタ５のプリント方式は特に限定されず、インクジェット方式、昇華型熱転写方式、溶融型熱転写方式等を用いることができる。
【００４１】
プリント用画像データに広告画像が含まれている場合、例えばプリンタ５からは、図５（ａ）に示すように、１枚の用紙に複数コマの顔画像と広告画像とが印画された印画物が出力される。また、図５（ｂ）に示すように、複数コマの顔画像を印画した用紙と、広告画像やクーポンを印画した用紙とを別々に出力するようにしてもよい。
【００４２】
次に、このような印画物作製装置１００を用いた印画物作製方法を図６に示すフローチャートを用いて説明する。
【００４３】
タッチパネル３が、ユーザから、印画する写真サイズの選択を受け付ける（ステップＳ１）。
【００４４】
タッチパネル３に広告を視聴するか否かの選択画面を表示する（ステップＳ２）。ユーザが広告を視聴することを選択した場合（ステップＳ２＿Ｙｅｓ）、印画物作製装置１００は、ステップＳ１で選択された写真サイズに応じた企業の広告をタッチパネル３で再生する（ステップＳ３〜Ｓ６）。
【００４５】
例えば、運転免許証に対応する写真サイズが選択された場合、Ａ社（自動車販売会社）の広告を再生する（ステップＳ４）。パスポートに対応する写真サイズが選択された場合、Ｂ社（旅行代理店）の広告を再生する（ステップＳ５）。履歴書に対応する写真サイズが選択された場合、Ｃ社（スーツ販売会社）の広告を再生する（ステップＳ６）。
【００４６】
広告の再生後、印画物作製装置１００は、割引された料金の課金処理を行う（ステップＳ７）。
【００４７】
ユーザが広告を視聴しないことを選択した場合（ステップＳ２＿Ｎｏ）、印画物作製装置１００は通常料金の課金処理を行う（ステップＳ８）。
【００４８】
課金処理後、撮影部２がユーザＰを撮影する（ステップＳ９）。撮影画像をタッチパネル３に表示し、所定回数の撮り直しが行えるようにしてもよい。
【００４９】
プリンタ５が、ユーザＰの撮影画像を用紙にプリントして出力する（ステップＳ１０）。ユーザＰが広告を視聴していた場合、撮影画像と共に広告画像を用紙にプリントしてもよい。広告画像をプリントする用紙は、撮影画像をプリントする用紙と同じでもよいし、別の用紙でもよい。
【００５０】
このように、本実施形態によれば、タッチパネル３を活用して広告を再生できる。ユーザは広告視聴の有無を選択でき、広告を視聴した場合は証明写真の作製に対する自己負担金額を抑えることができる。再生する広告は、ユーザが選択した写真サイズ（用途）に応じた企業の広告であるため、ユーザに対する高い広告宣伝効果が期待できる。
【００５１】
上記実施形態では、広告視聴の有無に応じて料金を変える例について説明したが、料金変更（割引）アクションは広告視聴に限定されず、例えばアンケートへの回答でもよい。
【００５２】
この場合、ディスク装置１３には、複数の企業からのアンケートデータが格納される。アンケートデータはアンケート質問事項等を含む。印画物作製プログラムの実行により、図７に示すように、写真サイズ選択部３１、アンケート実施選択部３２、アンケート選択部３３、アンケート実行部３４、課金処理部３５、撮影処理部３６、画像処理部３７及びプリント処理部３８が実現される。写真サイズ選択部３１、課金処理部３５、撮影処理部３６、画像処理部３７及びプリント処理部３８は、図３に示す写真サイズ選択部２１、課金処理部２５、撮影処理部２６、画像処理部２７及びプリント処理部２８と同様の処理を行うため、説明を省略する。
【００５３】
アンケート実施選択部３２は、アンケートへの回答を行うか否か選択する選択画面をタッチパネル３に表示し、ユーザから選択を受け付ける。
【００５４】
アンケート選択部３３は、ユーザがアンケートへの回答を行うことを選択した場合に、複数のアンケートデータから、実施するアンケートデータを選択する。アンケート選択部３３は、ユーザが選択した写真サイズに基づいて、アンケートを選択する。
【００５５】
アンケート実行部３４は、タッチパネル３にアンケート画面を表示し、ユーザからアンケート回答を受け付ける。アンケート実行部３４は、アンケート回答を含むアンケート結果をディスク装置１３に格納する。
【００５６】
このように、アンケートに回答することによっても証明写真の割引を行ってもよい。
【００５７】
アンケートを実施した場合、プリンタ５からプリントする印画物に、回答したアンケートに対応する企業の広告を印画してもよい。また、アンケートの回答によって、印画する広告を変えてもよい。例えば、ユーザが選択した写真サイズがパスポートに対応するものである場合、旅行代理店からのアンケートを実施する。アンケートの中で、ユーザが興味のある地域を回答した場合、その地域に対応する旅行プランの広告を証明写真と共にプリントする。
【００５８】
図８に示すように、印画物作製装置１００は、インターネットやＬＡＮ等のネットワークを介してサーバＳと通信可能に接続されていてもよい。サーバＳは、広告データやアンケートデータを印画物作製装置１００へ配信する。印画物作製装置１００は、企業別の広告再生数やアンケート集計結果をサーバＳへ送信する。
【００５９】
撮影部２でユーザを撮影してユーザの年齢や性別を推定し、推定結果と選択された写真サイズとに基づいて、再生する広告や実施するアンケートを選択してもよい。ユーザが広告の視聴又はアンケートの実施を選択した場合に、年齢や性別を入力する入力画面を表示し、ユーザからの入力結果を広告やアンケートの選択に利用してもよい。また、印画物作製装置１００の設置場所や利用時間帯をさらに考慮して、広告やアンケートを選択してもよい。
【００６０】
割引料金で撮影可能な証明写真の１日あたりの上限を設定してもよい。印画物作製装置１００の筐体に、外部から視認可能なディスプレイを設置し、割引料金で撮影できる残回数をディスプレイに表示してもよい。
【００６１】
上記実施形態では、撮影画像を用紙にプリントして出力する例について説明したが、印画物作製装置１００は、プリント出力と共に、又はプリント出力を行わずに、撮影画像の画像データを、ユーザが所有するスマートフォン等のユーザ端末へ転送するデータ販売を行ってもよい。また、印画物作製装置１００は、ユーザ端末から画像データを受信し、画像の焼き増しプリントを行ってもよい。
【００６２】
広告を視聴したり、アンケートに回答したりすることで、データ販売や焼き増しプリントの料金を割り引いてもよい。また、撮影時に広告視聴やアンケート回答を行うことで、焼き増しプリントを複数回割引料金で行えるようにしてもよい。この場合、ユーザ端末は、焼き増しプリントのために印画物作製装置１００へ画像データを送信した回数をカウントし、印画物作製装置１００へ画像データを送信する際に、カウント値も送信する。印画物作製装置１００は、カウント値が所定値以下の場合は割引料金で焼き増しプリントを行い、所定値を超えている場合は通常料金で焼き増しプリントを行う。
【００６３】
カウント値が所定値を超えている場合、印画物作製装置１００は、新たに広告の視聴やアンケートへの回答を行って焼き増しプリントを割引料金で行うか否か選択できるようにしてもよい。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１  演算制御部
２  撮影部
３  タッチパネル
５  プリンタ
６  ストロボ
１１  ＣＰＵ
１２  メインメモリ
１３  ディスク装置
１４  入出力部
１００  印画物作製装置
【図１】
2019192015.tif 000003
【図２】
2019192015.tif 000004
【図３】
2019192015.tif 000005
【図４】
2019192015.tif 000006
【図５】
2019192015.tif 000007
【図６】
2019192015.tif 000008
【図７】
2019192015.tif 000009
【図８】
2019192015.tif 000010